(57)【要約】    【課題】      誤り率特性が劣化することを防ぐとともに、再送の繰り返しによるスループットの低下を防止すること。    【解決手段】  配置決定部１０３は、初回の送信時に通常のコンスタレーションマッピングを行うことを決定し、再送時に再送回数に応じてコンスタレーションマッピング位置を変更するかまたは各シンボルのビット配置を変更することを決定する。データ入れ替え部１０５は、送信データに対して、配置決定部１０３にて決定したビット配置になるように送信データを各シンボル単位においてビット毎に入れ替える。マッパー部１０６は、配置決定部１０３にて決定したコンスタレーションマッピング位置に配置されるように、データ入れ替え部１０５から入力された送信データを各シンボルに配置（マッピング）する。  【選択図】      図１
2005109972.tif 000002
【特許請求の範囲】
【請求項１】
送信データを再送する場合におけるＩ−Ｑ平面上の各シンボルデータの配置位置を示すコンスタレーションマッピング位置が前記送信データを初回に送信する場合における前記コンスタレーションマッピング位置に対して異なるように前記コンスタレーションマッピング位置を決定する配置決定手段と、
同一振幅を有する各シンボルデータが前記配置決定手段にて決定された前記コンスタレーションマッピング位置に配置されるように送信データを各シンボルに割り当てるデータ割り当て手段と、
前記データ割り当て手段にて各シンボルに割り当てられた前記送信データを送信する送信手段と、
を具備することを特徴とする送信装置。
【請求項２】
前記配置決定手段は、Ｉ−Ｑ平面上のＩ軸とＱ軸との交点を中心とする円の円周上にて、送信データを初回に送信する場合の前記コンスタレーションマッピング位置を所定角度回転させて前記送信データを再送する場合の前記コンスタレーションマッピング位置とすることを決定することを特徴とする請求項１記載の送信装置。
【請求項３】
送信データを初回に送信する場合の各シンボルのビット配置に対して前記送信データを再送する場合の各シンボルのビット配置が変更されるように前記送信データをビット毎に入れ替えるデータ入れ替え手段を具備し、
前記データ割り当て手段は、前記データ入れ替え手段にて入れ替えられた前記送信データを各シンボルに割り当てることを特徴とする請求項１または請求項２記載の送信装置。
【請求項４】
送信データを初回に送信する場合の各シンボルのビット配置に対して前記送信データを再送する場合の各シンボルのビット配置が変更されるように前記送信データをビット毎に入れ替えるデータ入れ替え手段と、
同一振幅を有する複数のシンボルデータがＩ−Ｑ平面上の送信データの各シンボルの配置位置を示すコンスタレーションマッピング位置に配置されるように前記データ入れ替え手段にて入れ替えられた前記送信データを各シンボルに割り当てるデータ割り当て手段と、
前記データ割り当て手段にて各シンボルに割り当てられた前記送信データを送信する送信手段と、
を具備することを特徴とする送信装置。
【請求項５】
請求項１から請求項４のいずれかに記載の送信装置を具備することを特徴とする基地局装置。
【請求項６】
請求項１から請求項４のいずれかに記載の送信装置を具備することを特徴とする通信端末装置。
【請求項７】
送信データを再送する場合におけるＩ−Ｑ平面上の各シンボルの配置位置を示すコンスタレーションマッピング位置が前記送信データを初回に送信する場合における前記コンスタレーションマッピング位置に対して異なるように前記コンスタレーションマッピング位置を決定するステップと、
各シンボルデータが決定された前記コンスタレーションマッピング位置に配置されるように送信データを各シンボルに割り当てるステップと、
各シンボルに割り当てられた前記送信データを送信するステップと、
を具備することを特徴とする送信方法。
【発明の詳細な説明】
【技術分野】
【０００１】
本発明は、誤りが生じたデータの再送を行う送信装置及び送信方法に関する。
【背景技術】
【０００２】
従来、信頼性の低い時間的に変化する回線状態を有する通信システムにおいてよく用いられる技術は、自動再送要求（ＡＲＱ：Automatic Repeat Request）方式および誤り訂正復号（ＦＥＣ：Forward Error Correction）技術に基づいて誤り訂正を行うもので、ハイブリッドＡＲＱ（ＨＡＲＱ）と呼ばれる。よく使用される巡回冗長検査（ＣＲＣ：Cyclic Redundancy Check）で誤りが検出されると、通信システムの受信部は送信部に誤って受信したデータパケットを再送するように要求する（例えば、非特許文献１及び非特許文献２。）。
【０００３】
ＡＲＱ方式には、タイプＩ〜IIIの３つの異なるタイプがある。
【０００４】
タイプＩは、誤りを含む受信パケットは破棄し、同じパケットの新しいコピーを別途再送し復号するとともに、受信した新旧両パケットは合成しない方式である。
【０００５】
また、タイプIIは、誤りを含む受信パケットは破棄せず、追加の再送パケットと合成して引き続き復号を行う方式である。再送パケットは、符号化率（符号化利得）が比較的高く、受信部で、記憶されている以前の送信から得られたソフト情報（soft-information）と合成される場合がある。
【０００６】
また、タイプIIIは、上記タイプIIと同じであるが、各再送パケットが自動復号可能な方式である。これは送信パケットが前のパケットと合成しなくても復号可能であることを意味し、一部のパケットが損傷して情報がほとんど再使用できない場合に有用である。
【０００７】
ここで、図１２は、８ＰＳＫ変調方式における各シンボルのマッピングを示す図である。図１２に示すように、８ＰＳＫではＩ−Ｑ平面上に８点のマッピング位置があるため、１シンボルに含めて送信することができるのは３ビットである。各シンボルにおける最上位ビットａ１が１ビット目であり、最上位ビットａ１の次のビットａ２が２ビット目であり、最下位ビットａ３が３ビット目である。
【非特許文献１】S. Kallel, "Analysis of a type II hybrid ARQ scheme with code combining（符号合成によるタイプIIハイブリッドＡＲＱ方式の分析）", IEEE Transactions on Communications, Vol.38, No.8, August 1990
【非特許文献２】S. Kallel, R. Link, S. Bakhtiyari, "Throughput performance of Memory ARQ schemes（メモリＡＲＱ方式の処理能力性能）", IEEE Transactions on Vehicular Technology, Vol.48, No.3, May 1999
【発明の開示】
【発明が解決しようとする課題】
【０００８】
しかしながら、従来の送信装置及び送信方法においては、各シンボルの再送データが初回の送信時と同じ伝搬路にて再送されることにより、同一のデータに繰り返し誤りが生じるという問題がある。そして、同一のデータに繰り返し誤りが生じた場合には再送が繰り返されることにより、スループットが低下するという問題がある。
【０００９】
また、従来の送信装置及び送信方法は、各シンボルにおいて、１ビット目及び２ビット目の誤り判定領域と３ビット目の誤り判定領域とが異なることにより、１ビット目及び２ビット目と３ビット目とにおける誤り率特性が異なるので、３ビット目の誤り率特性が劣化するという問題がある。
【００１０】
図１３〜図１５は、各ビットａ１〜ａ３における判定領域を示す図である。図１３は１ビット目の判定領域を示す図であり、Ｉ軸との角度が２２．５度線をしきい値＃１０として１ビット目を判定することができる。即ち、しきい値＃１０よりも上側の区間１は「０」の判定領域であり、しきい値＃１０よりも下側の区間２は「１」の判定領域である。
【００１１】
図１４は２ビット目の判定領域を示す図であり、Ｉ軸との角度が６７．５度線をしきい値＃１１として２ビット目を判定することができる。即ち、しきい値＃１１よりも下側の区間１は「０」の判定領域であり、しきい値＃１１よりも上側の区間２は「１」の判定領域である。
【００１２】
図１５は３ビット目の判定領域を示す図であり、しきい値＃１２及びしきい値＃１３を用いて３ビット目を判定することができる。即ち、しきい値＃１２よりも下側でかつしきい値＃１３よりも上側の区間１は「０」の判定領域であり、しきい値＃１２よりも上側でかつしきい値＃１３よりも上側の区間２は「１」の判定領域であり、しきい値＃１２よりも上側でかつしきい値＃１３よりも下側の区間３は「０」の判定領域であり、しきい値＃１２よりも下側でかつしきい値＃１３よりも下側の区間４は「１」の判定領域である。
【００１３】
図１３〜図１５より、１ビット目及び２ビット目の判定領域は２つであるのに対して、３ビット目の判定領域は４つである。したがって、３ビット目における「０」と「１」との判定領域間のユークリッド距離が、１ビット目及び２ビット目における「０」と「１」との判定領域間のユークリッド距離と比べて小さくなるので、３ビット目は１ビット目及び２ビット目よりも誤りやすくなるという問題がある。３ビット目に誤りが生じた場合には再送する方法も考えられるが、再送データの３ビット目の誤り率特性は依然として１ビット目及び２ビット目よりも劣化する可能性が高いので、再送が繰り返されることにより、スループットが低下するという問題がある。
【００１４】
本発明はかかる点に鑑みてなされたものであり、誤り率特性が劣化することを防ぐことができるとともに、再送の繰り返しによるスループットの低下を防止することができる送信装置及び送信方法を提供することを目的とする。
【課題を解決するための手段】
【００１５】
本発明の送信装置は、送信データを再送する場合におけるＩ−Ｑ平面上の各シンボルデータの配置位置を示すコンスタレーションマッピング位置が前記送信データを初回に送信する場合における前記コンスタレーションマッピング位置に対して異なるように前記コンスタレーションマッピング位置を決定する配置決定手段と、同一振幅を有する各シンボルデータが前記配置決定手段にて決定された前記コンスタレーションマッピング位置に配置されるように送信データを各シンボルに割り当てるデータ割り当て手段と、前記データ割り当て手段にて各シンボルに割り当てられた前記送信データを送信する送信手段と、を具備する構成を採る。
【００１６】
この構成によれば、各シンボルデータの再送時のコンスタレーションマッピング位置を、初回の送信時のコンスタレーションマッピング位置と異なるように送信データをシンボルデータに割り当てるので、誤り率特性が劣化することを防ぐことができるとともに、再送の繰り返しによるスループットの低下を防止することができる。
【００１７】
本発明の送信装置は、前記構成において、前記配置決定手段は、Ｉ−Ｑ平面上のＩ軸とＱ軸との交点を中心とする円の円周上にて、送信データを初回に送信する場合の前記コンスタレーションマッピング位置を所定角度回転させて前記送信データを再送する場合の前記コンスタレーションマッピング位置とすることを決定する構成を採る。
【００１８】
この構成によれば、前記効果に加えて、再送時において、Ｉ−Ｑ平面上のＩ軸とＱ軸との交点を中心とする円の円周上にてコンスタレーションマッピング位置を回転させるので、初回の送信時と再送時とで各シンボルデータを異なる伝搬路を介して送信することができることにより、初回の送信時と再送時とでフェージングによる影響が異なることとなり、時空間ダイバーシチ効果を有することができて特定のシンボルデータに誤りが集中することを防ぐことができる。
【００１９】
本発明の送信装置は、前記構成において、送信データを初回に送信する場合の各シンボルのビット配置に対して前記送信データを再送する場合の各シンボルのビット配置が変更されるように前記送信データをビット毎に入れ替えるデータ入れ替え手段を具備し、前記データ割り当て手段は、前記データ入れ替え手段にて入れ替えられた前記送信データを各シンボルに割り当てる構成を採る。
【００２０】
この構成によれば、前記効果に加えて、再送時において、初回の送信時の各シンボルのビット配置を変更するので、各シンボルデータにおけるビット毎の誤り判定領域を再送時と初回の送信時とで異ならせることができることにより、各シンボルの特定ビットに誤りが集中することを防ぐことができる。
【００２１】
本発明の送信装置は、送信データを初回に送信する場合の各シンボルのビット配置に対して前記送信データを再送する場合の各シンボルのビット配置が変更されるように前記送信データをビット毎に入れ替えるデータ入れ替え手段と、同一振幅を有する複数のシンボルデータがＩ−Ｑ平面上の送信データの各シンボルの配置位置を示すコンスタレーションマッピング位置に配置されるように前記データ入れ替え手段にて入れ替えられた前記送信データを各シンボルに割り当てるデータ割り当て手段と、前記データ割り当て手段にて各シンボルに割り当てられた前記送信データを送信する送信手段と、を具備する構成を採る。
【００２２】
この構成によれば、再送時において、初回の送信時の各シンボルのビット配置を変更するので、各シンボルデータにおけるビット毎の誤り判定領域を再送時と初回の送信時とで異ならせることができることにより、各シンボルの特定ビットに誤りが集中することを防ぐことができ、誤り率特性が劣化することを防ぐことができるとともに、再送の繰り返しによるスループットの低下を防止することができる。
【００２３】
本発明の基地局装置は、上記いずれかに記載の送信装置を具備する構成を採る。
【００２４】
この構成によれば、各シンボルデータの再送時のコンスタレーションマッピング位置を、初回の送信時のコンスタレーションマッピング位置と異なるように送信データをシンボルデータに割り当てるので、誤り率特性が劣化することを防ぐことができるとともに、再送の繰り返しによるスループットの低下を防止することができる。
【００２５】
本発明の通信端末装置は、上記いずれかに記載の送信装置を具備する構成を採る。
【００２６】
この構成によれば、各シンボルデータの再送時のコンスタレーションマッピング位置を、初回の送信時のコンスタレーションマッピング位置と異なるように送信データをシンボルデータに割り当てるので、誤り率特性が劣化することを防ぐことができるとともに、再送の繰り返しによるスループットの低下を防止することができる。
【００２７】
本発明の送信方法は、送信データを再送する場合におけるＩ−Ｑ平面上の各シンボルの配置位置を示すコンスタレーションマッピング位置が前記送信データを初回に送信する場合における前記コンスタレーションマッピング位置に対して異なるように前記コンスタレーションマッピング位置を決定するステップと、各シンボルデータが決定された前記コンスタレーションマッピング位置に配置されるように送信データを各シンボルに割り当てるステップと、各シンボルに割り当てられた前記送信データを送信するステップと、を具備するようにした。
【００２８】
この方法によれば、各シンボルデータの再送時のコンスタレーションマッピング位置を、初回の送信時のコンスタレーションマッピング位置と異なるように送信データをシンボルデータに割り当てるので、誤り率特性が劣化することを防ぐことができるとともに、再送の繰り返しによるスループットの低下を防止することができる。
【発明の効果】
【００２９】
本発明によれば、誤り率特性が劣化することを防ぐことができるとともに、再送の繰り返しによるスループットの低下を防止することができる。
【発明を実施するための最良の形態】
【００３０】
本発明の骨子は、送信データを再送する場合におけるＩ−Ｑ平面上の各シンボルデータの配置位置を示すコンスタレーションマッピング位置が、送信データを初回に送信する場合におけるコンスタレーションマッピング位置に対して異なるようにすることである。
【００３１】
以下、本発明の実施の形態について、図面を参照して詳細に説明する。
【００３２】
（実施の形態）
図１は、本発明の実施の形態に係る通信シテム１００の構成を示すブロック図である。配置決定部１０３、インターリーバー１０４、データ入れ替え部１０５、マッパー部１０６及び変調部１０７は送信装置１０１を構成している。また、配置判定部１０９、復調部１１０、デマッパー部１１１、データ入れ替え部１１２及びデインターリーバー１１３は受信装置１０２を構成している。
【００３３】
配置決定部１０３は、送信回数情報より初回の送信時においては変調方式毎にあらかじめ決められている通常のコンスタレーションマッピングを行うことを決定し、再送時においては再送回数に応じてコンスタレーションマッピング位置を変更するかまたは各シンボルのビット配置を変更することを決定する。そして、配置決定部１０３は、コンスタレーションマッピング位置を変更することを決定した場合には、コンスタレーションマッピング位置を変更するようにマッパー部１０６に指示し、ビット配置を変更することを決定した場合には、ビット配置を変更するようにデータ入れ替え部１０５に指示する。
【００３４】
インターリーバー１０４は、送信データをビット毎に並び替えてデータ入れ替え部１０５へ出力する。
【００３５】
データ入れ替え部１０５は、インターリーバー１０４から入力した送信データに対して、配置決定部１０３の指示により、配置決定部１０３にて決定したビット配置になるように送信データを各シンボル単位において（８ＰＳＫの場合は１シンボル＝３ビット）ビット毎に入れ替える。また、データ入れ替え部１０５は、８ＰＳＫの場合には、データシーケンスを１シンボルが３ビットとなるようにシンボル毎に区切る処理をしてから、各シンボルにおいてビット毎に入れ替え処理を行う。そして、データ入れ替え部１０５は、ビット毎に入れ替えた送信データをマッパー部１０６へ出力する。データ入れ替え部１０５は、シンボルデータのコンスタレーションマッピング位置を変更するだけの場合、即ち配置決定部１０３から指示されない場合には、インターリーバー１０４から入力した送信データをそのままマッパー部１０６へ出力する。なお、送信データをビット毎に入れ替える方法については後述する。
【００３６】
データ割り当て手段であるマッパー部１０６は、配置決定部１０３の指示により、配置決定部１０３にて決定したコンスタレーションマッピング位置に配置されるように、データ入れ替え部１０５から入力した送信データを各シンボルに配置（マッピング）する。そして、マッパー部１０６は、各シンボルに配置した送信データを変調部１０７へ出力する。一方、マッパー部１０６は、配置決定部１０３から何も指示されない場合には、変調方式毎にあらかじめ決められている通常のコンスタレーションマッピング位置に配置されるように送信データを各シンボルに配置する。なお、各シンボルデータのコンスタレーションマッピング位置を変更する方法については後述する。
【００３７】
変調部１０７は、マッパー部１０６から入力した送信データを所定の変調方式により変調してチャネル１０８へ出力する。なお、無線にて送信データを送信する場合には、変調部１０７から出力された送信データは、ベースバンド周波数から無線周波数にアップコンバートされてアンテナより無線通信チャネルを介して送信される。
【００３８】
チャネル１０８は、一般に無線通信チャネルであり、送信装置１０１から送信された送信データを受信装置１０２まで伝送する。
【００３９】
配置判定部１０９は、配置決定部１０３と共通の送信回数情報に応じたコンスタレーションマッピング位置またはビット配置を把握している。そして、配置判定部１０９は、初回の受信時には何も出力せず、再送されたデータを受信した場合には、送信回数情報に応じて受信データのコンスタレーションマッピング位置を通常のコンスタレーションマッピング位置に戻すための復元情報を生成し、生成した復元情報をデータ入れ替え部１１２またはデマッパー部１１１へ出力する。具体的には、各シンボルのビット配置を変更したデータを受信した場合には、復元情報をデータ入れ替え部１１２へ出力し、各シンボルデータのコンスタレーションマッピング位置を変更したデータを受信した場合には、復元情報をデマッパー部１１１へ出力する。
【００４０】
復調部１１０は、受信したデータを復調してデマッパー部１１１へ出力する。具体的には、復調部１１０は、受信したデータをビット毎にコンスタレーションマッピング位置に配置（マッピング）し、配置したコンスタレーションマッピング位置に基づいて、受信したデータの「１」及び「０」をビット毎にしきい値判定する。
【００４１】
デマッパー部１１１は、復調部１１０から入力した受信データに対して、配置判定部１０９から入力した復元情報より、通常のコンスタレーションマッピング位置に配置されるように送信データを配置し直した後、所定の受信データ系列にしてデータ入れ替え部１１２へ出力する。一方、デマッパー部１１１は、配置判定部１０９から復元情報が入力しない場合には、送信データを配置し直さずにそのまま所定の受信データ系列にしてデータ入れ替え部１１２へ出力する。
【００４２】
データ入れ替え部１１２は、デマッパー部１１１から入力した受信データに対して、配置判定部１０９から入力した復元情報より、シンボルデータ毎に各ビットデータの入れ替えを行う。そして、データ入れ替え部１１２は、ビット毎に入れ替えた受信データをデインターリーバー１１３へ出力する。なお、データ入れ替え部１１２は、シンボルデータのコンスタレーションマッピング位置が変更されただけのデータを受信した場合、即ち配置判定部１０９から何も入力しない場合には、デマッパー部１１１から入力した受信データをそのままデインターリーバー１１３へ出力する。
【００４３】
デインターリーバー１１３は、データ入れ替え部１１２から入力した受信データを並び替えて受信データを得る。
【００４４】
次に、８ＰＳＫ変調方式において、コンスタレーションマッピング位置を変更する方法について、図２〜図１１を用いて説明する。
【００４５】
配置決定部１０３は、図２に示すようなルール選択用情報を保存したテーブルを保持しており、送信回数情報を用いてルールテーブルを参照することによりデータを入れ替えるためのルールを選択する。
【００４６】
送信回数が１回目の場合（再送時でない初回の送信時の場合）、配置決定部１０３は、図１２に示すような通常の８ＰＳＫのコンスタレーションマッピング位置に配置する信号点配置パターンであるConstellation  １とすることを決定する。
【００４７】
送信回数が２回目の場合（１回目の再送の場合）、配置決定部１０３は、信号点配置パターンをConstellation  ２とすることを決定する。具体的には、配置決定部１０３は、信号点配置パターンのデータ入れ替えルールとしてＳＷＡＰ方法を選択する。ＳＷＡＰ方法は、図３〜図５に示す３通りの方法がある。即ち、第１の方法は、図３に示すように、各シンボルデータにおいて、１ビット目のデータと２ビット目のデータとを入れ替える方法である。第２の方法は、図４に示すように、各シンボルデータにおいて、２ビット目のデータと３ビット目のデータとを入れ替える方法である。第３の方法は、図５に示すように、各シンボルデータにおいて、１ビット目のデータと３ビット目のデータとを入れ替える方法である。配置決定部１０３は、これらの３つの方法の中から何れか１つの方法を選択する。図３〜図５のビット配置を変更するためのデータの入れ替えは、データ入れ替え部１０５にて行われる。
【００４８】
送信回数が３回目の場合（２回目の再送の場合）、配置決定部１０３は、信号点配置パターンをConstellation  ３とすることを決定する。具体的には、配置決定部１０３は、信号点配置パターンのデータ入れ替えルールとしてＩｎｖｅｒｔｉｏｎ方法を選択する。Ｉｎｖｅｒｔｉｏｎ方法は、図６に示すように、各シンボルデータにおいて、３ビット目のデータが「０」であれば「１」に変更し、３ビット目のデータが「１」であれば「０」に変更する方法である。これらの変更は、データ入れ替え部１０５にて３ビット目のデータ同士を入れ替えることにより変更することが可能である。
【００４９】
送信回数が４回目の場合（３回目の再送の場合）、配置決定部１０３は、信号点配置パターンをConstellation  ４とすることを決定する。具体的には、配置決定部１０３は、信号点配置パターンのデータ入れ替えルールとしてＲｏｔａｔｉｏｎｎａｌ  Ｓｈｉｆｔ方法を選択する。Ｒｏｔａｔｉｏｎｎａｌ  Ｓｈｉｆｔ方法は、図７及び図８に示す２通りの方法がある。即ち、第１の方法は、図７に示すように、各シンボルデータにおいて、１ビット目のデータを２ビット目に移動し、２ビット目のデータを３ビット目に移動するとともに３ビット目のデータを１ビット目に移動する方法である。第２の方法は、図８に示すように、各シンボルデータにおいて、１ビット目のデータを３ビット目に移動し、２ビット目のデータを１ビット目に移動するとともに３ビット目のデータを２ビット目に移動する方法である。配置決定部１０３は、これらの２つの方法の中から何れか１つの方法を選択する。図７及び図８のビット配置を変更するためのデータの入れ替えは、データ入れ替え部１０５にて行われる。
【００５０】
送信回数が５回目の場合（４回目の再送の場合）、配置決定部１０３は、信号点配置パターンをConstellation  ５とすることを決定する。具体的には、配置決定部１０３は、信号点配置パターンのデータ入れ替えルールとしてＲａｄｉｕｓ  Ｃｉｒｃｌｅ  Ｓｈｉｆｔ方法を選択する。Ｒａｄｉｕｓ  Ｃｉｒｃｌｅ  Ｓｈｉｆｔ方法は、図９及び図１０に示す２通りの方法がある。即ち、第１の方法は、図９に示すように、Ｉ−Ｑ平面上において、各シンボルデータを反時計回りに２ステップ回転させる方法である。なお、１ステップとは、あるコンスタレーションマッピング点から隣のコンスタレーションマッピング点まで回転させることを意味する。第２の方法は、図１０に示すように、Ｉ−Ｑ平面上において、各シンボルデータを反時計方向に４ステップ回線させる方法である。配置決定部１０３は、これらの２つの方法の中から何れか１つの方法を選択する。このようにＲａｄｉｕｓ  Ｃｉｒｃｌｅ  Ｓｈｉｆｔ方法においては、各シンボルのコンスタレーションマッピング位置を、Ｉ−Ｑ平面のＩ軸とＱ軸との交点を中心とする円の円周上にて回転させることにより、コンスタレーションマッピング位置を変更する。図９及び図１０のコンスタレーションマッピング位置へ変更するための各シンボルデータの移動は、マッパー部１０６にて行われる。
【００５１】
送信回数が６回目の場合（５回目の再送の場合）、配置決定部１０３は、信号点配置パターンをConstellation  ６とすることを決定する。具体的には、配置決定部１０３は、信号点配置パターンのデータ入れ替えルールとしてＲｏｔａｔｉｏｎａｌ  Ｓｈｉｆｔ  ＆  Ｉｎｖｅｒｔｉｏｎ方法を選択する。Ｒｏｔａｔｉｏｎａｌ  Ｓｈｉｆｔ  ＆  Ｉｎｖｅｒｔｉｏｎ方法は、図１１に示すように、各シンボルデータにおいて、１ビット目のデータを２ビット目に移動し、２ビット目のデータを３ビット目に移動し、３ビット目のデータを１ビット目に移動するとともに、移動後の各シンボルデータにおいて、１ビット目のデータが「０」であれば「１」に変更し、１ビット目のデータが「１」であれば「０」に変更する方法である。図１１のビット配置を変更するためのデータの入れ替えは、データ入れ替え部１０５にて行われる。
【００５２】
因みに、８ＰＳＫ変調方式は、各シンボルデータが同一振幅を有するので、各ビットの誤りの原因は位相判定領域の相違に起因する。一方、１６ＱＡＭ変調方式は、各シンボルデータの位相と振幅とが異なるので、各ビットの誤りの原因は振幅判定領域の相違にも起因するものである。
【００５３】
このように、本実施の形態によれば、再送回数に応じて各シンボル内のビット配置を変更するので、各シンボルの特定ビットが繰り返し誤ることを防ぐことができることにより、誤り率特性が劣化することを防ぐことができるとともに、再送の繰り返しによるスループットの低下を防止することができる。また、本実施の形態によれば、各シンボルデータが同一振幅を有する８ＰＳＫ変調方式において各シンボルを２ステップまたは４ステップだけ位相を回転するか、または各シンボル内のビット配置を変更するだけの簡単な処理にて各シンボルの特定ビットが繰り返し誤ることを防ぐことができる。また、本実施の形態によれば、同一振幅を有する８ＰＳＫ変調方式において、再送時には各シンボルを２ステップまたは４ステップだけ位相を回転したコンスタレーションマッピング位置とするので、初回の送信時と再送時とで各シンボルデータを異なる伝搬路を介して送信することができることにより、初回の送信時と再送時とでフェージングによる影響が異なることとなり、時空間ダイバーシチ効果を有することができて特定のシンボルデータに誤りが集中することを防ぐことができる。
【００５４】
なお、上記実施の形態において、８ＰＳＫ変調方式において送信データのコンスタレーションマッピング位置を変更することとしたが、これに限らず、１６ＰＳＫ、３２ＰＳＫまたは６４ＰＳＫ等の各シンボルデータの振幅が同一である変調方式に適用することが可能である。また、上記実施の形態において、Ｒａｄｉｕｓ  Ｃｉｒｃｌｅ  Ｓｈｉｆｔ方法にてシンボルデータを２スッテプまたは４ステップ回転させることとしたが、これに限らず、２ステップ及び４ステップ以外の３ステップ等のステップにて回転させても良い。また、上記実施の形態の送信装置１０１及び受信装置１０２は、基地局装置または通信端末装置に適用することが可能である。また、上記実施の形態において、SWAP、Invertion、Rotational ShiftまたはRadius Circle shiftの何れか１つの方法を用いてコンスタレーションマッピング位置を変更することとしたが、これに限らず、SWAP、Invertion、Rotational ShiftまたはRadius Circle shiftの方法を組み合わせてコンスタレーションマッピング位置を変更することも可能である。また、上記実施の形態において、図２に示すように送信回数とデータ入れ替えルールとを関係付けたが、これに限らず、送信回数とデータ入れ替えルールとの関係づけを柔軟に変更することが可能である。
【産業上の利用可能性】
【００５５】
本発明にかかる送信装置及び送信方法は、誤り率特性が劣化することを防ぐことができるとともに、再送の繰り返しによるスループットの低下を防止する効果を有し、コンスタレーションマッピングを変更するのに有用である。
【図面の簡単な説明】
【００５６】
【図１】本発明の実施の形態に係る通信システムの構成を示すブロック図
【図２】本発明の実施の形態に係るルール選択用情報を保存するテーブルを示す図
【図３】本発明の実施の形態に係るコンスタレーションマッピングを示す図
【図４】本発明の実施の形態に係るコンスタレーションマッピングを示す図
【図５】本発明の実施の形態に係るコンスタレーションマッピングを示す図
【図６】本発明の実施の形態に係るコンスタレーションマッピングを示す図
【図７】本発明の実施の形態に係るコンスタレーションマッピングを示す図
【図８】本発明の実施の形態に係るコンスタレーションマッピングを示す図
【図９】本発明の実施の形態に係るコンスタレーションマッピングを示す図
【図１０】本発明の実施の形態に係るコンスタレーションマッピングを示す図
【図１１】本発明の実施の形態に係るコンスタレーションマッピングを示す図
【図１２】従来のコンスタレーションマッピングを示す図
【図１３】従来のコンスタレーションマッピングを示す図
【図１４】従来のコンスタレーションマッピングを示す図
【図１５】従来のコンスタレーションマッピングを示す図
【符号の説明】
【００５７】
１０１  送信装置
１０２  受信装置
１０３  配置決定部
１０４  インターリーバー
１０５、１１２  データ入れ替え部
１０６  マッパー部
１０７  変調部
１０８  チャネル
１０９  配置判定部
１１０  復調部
１１１  デマッパー部
１１３  デインターリーバー
【図１】
2005109972.tif 000003
【図２】
2005109972.tif 000004
【図３】
2005109972.tif 000005
【図４】
2005109972.tif 000006
【図５】
2005109972.tif 000007
【図６】
2005109972.tif 000008
【図７】
2005109972.tif 000009
【図８】
2005109972.tif 000010
【図９】
2005109972.tif 000011
【図１０】
2005109972.tif 000012
【図１１】
2005109972.tif 000013
【図１２】
2005109972.tif 000014
【図１３】
2005109972.tif 000015
【図１４】
2005109972.tif 000016
【図１５】
2005109972.tif 000017